(57)【要約】【課題】  拡声対象機器を選ばない増設スピーカ装置を提供する。【解決手段】  居室親機４が報音する呼出音を集音するためのマイク１１と、通知音或いはメッセージを拡声報音するためのスピーカ１２と、報音する音或いはメッセージを記憶する増設スピーカ記憶部１４と、マイク１１が集音した音が登録されている音であるか識別する増設スピーカＣＰＵ１８とを有し、増設スピーカＣＰＵ１８は、登録されている音が集音されたと判断したら、当該音に関連付けられている音或いはメッセージを増設スピーカ記憶部１４から取り出して、スピーカ１２から拡声報音させる。【選択図】  図１
2020115615.tif 000002
【特許請求の範囲】
【請求項１】
拡声対象機器が報音する音を集音するためのマイクと、
通知音或いはメッセージを拡声報音するためのスピーカと、
前記マイクが集音した音を予め登録された音と比較して識別する音響識別部と、
報音する音或いはメッセージを記憶する音響情報記憶部と、
前記音響識別部が、前記マイクが集音した音が登録されている音であると識別したら、当該音に関連付けられている音或いはメッセージを前記音響情報記憶部から取り出して、前記スピーカから拡声報音させる報音制御部とを有することを特徴とする増設スピーカ装置。
【請求項２】
人感センサを有し、前記報音制御部は、前記人感センサが感知動作しない状態では前記スピーカによる拡声報音を行わないことを特徴とする請求項１記載の増設スピーカ装置。
【請求項３】
発光通知部を有し、前記報音制御部は、前記スピーカからの報音に加えて前記発光通知部を発光動作させることを特徴とする請求項１又は２記載の増設スピーカ装置。
【請求項４】
通知音或いはメッセージを拡声報音するための第１増設スピーカと第２増設スピーカとを有し、それぞれ独立したハウジングで形成され、
前記第１増設スピーカは、拡声対象機器が報音する音を集音するためのマイクと、
通知音或いはメッセージを拡声報音する第１スピーカと、
前記マイクが集音した音を予め登録された音と比較して識別する音響識別部と、
報音する音或いはメッセージを記憶する音響情報記憶部と、
前記音響識別部が前記マイクが集音した音が登録されている音であると識別したら、当該音に関連付けられている音或いはメッセージを前記音響情報記憶部から取り出して、前記第１スピーカから拡声報音させる第１報音制御部と、
前記第２増設スピーカと無線通信して報音情報を送信する第１通信部とを有する一方、
前記第２増設スピーカは、前記第１通信部と無線通信する第２通信部と、
通知音或いはメッセージを拡声報音する第２スピーカと、
前記第２通信部が受信した報音情報に基づいて、前記第２スピーカを拡声報音させる第２報音制御部とを有することを特徴とする増設スピーカ装置。
【発明の詳細な説明】
【技術分野】
【０００１】
本発明は、インターホンの呼出音等を拡声して報音する増設スピーカに関する。
【背景技術】
【０００２】
インターホンの呼出音を拡声して報音する増設スピーカがある。この増設スピーカは、インターホンを構成する居室親機から離れた例えば住戸の２階に設置して利用され、インターホンを構成する玄関子機等からの呼び出しを受けて、居室親機が呼出音を報音したら、この居室親機から送出される信号を受けて同様に呼出音を報音する。こうして、居住者等の利用者は２階にいても来訪者の存在を認識することができた（例えば、特許文献１参照）。
【先行技術文献】
【特許文献】
【０００３】
【特許文献１】特開平１１−２７５２４１号公報
【発明の概要】
【発明が解決しようとする課題】
【０００４】
しかしながら、上記従来の増設スピーカは、居室親機に有線接続される構成であるため、接続できる機種が限定されたし、居室親機から設置したい場所まで伝送線を配設しなければならなため、設置作業が面倒であった。また、他の呼出音や通知音、例えば電話の呼出音の拡声には対応できなかった。
【０００５】
そこで、本発明はこのような問題点に鑑み、拡声対象機器を選ばないし容易に設置できる増設スピーカ装置を提供することを目的としている。
【課題を解決するための手段】
【０００６】
上記課題を解決する為に、請求項１の発明に係る増設スピーカ装置は、拡声対象機器が報音する音を集音するためのマイクと、通知音或いはメッセージを拡声報音するためのスピーカと、マイクが集音した音を予め登録された音と比較して識別する音響識別部と、報音する音或いはメッセージを記憶する音響情報記憶部と、音響識別部が、マイクが集音した音が登録されている音であると識別したら、当該音に関連付けられている音或いはメッセージを音響情報記憶部から取り出して、スピーカから拡声報音させる報音制御部とを有することを特徴とする。
この構成によれば、拡声対象機器の音情報を基に拡声報音するため、拡声対象機器との間で伝送線等を接続する必要が無い。よって、容易に設置できるし、拡声対象機器の機種が限定されることも無い。
【０００７】
請求項２の発明は、請求項１に記載の構成において、人感センサを有し、報音制御部は、人感センサが感知動作しない状態ではスピーカによる拡声報音を行わないことを特徴とする。
この構成によれば、周囲に人がいなければ拡声報音を行わない。よって、むやみに拡声報音することがなく、スピーカからの報音が大音量であっても周囲にかける迷惑は最小限に留めることができる。
【０００８】
請求項３の発明は、請求項１又は２に記載の構成において、発光通知部を有して、報音制御部は、スピーカからの報音に加えて発光通知部を発光動作させることを特徴とする。
この構成によれば、呼出音等の通知を音情報に加えて光でも通知するため、視覚情報も加わることで、更に認識し易い。
【０００９】
請求項４の発明に係る増設スピーカ装置は、通知音或いはメッセージを拡声報音するための第１増設スピーカと第２増設スピーカとを有し、それぞれ独立したハウジングで形成され、第１増設スピーカは、拡声対象機器が報音する音を集音するためのマイクと、通知音或いはメッセージを拡声報音する第１スピーカと、マイクが集音した音を予め登録された音と比較して識別する音響識別部と、報音する音或いはメッセージを記憶する音響情報記憶部と、音響識別部がマイクが集音した音が登録されている音であると識別したら、当該音に関連付けられている音或いはメッセージを音響情報記憶部から取り出して、第１スピーカから拡声報音させる第１報音制御部と、第２増設スピーカと無線通信して報音情報を送信する第１通信部とを有する一方、第２増設スピーカは、第１通信部と無線通信する第２通信部と、通知音或いはメッセージを拡声報音する第２スピーカと、第２通信部が受信した報音情報に基づいて、第２スピーカを拡声報音させる第２報音制御部とを有することを特徴とする。
この構成によれば、拡声対象機器の音情報を基に拡声報音するため、拡声対象機器との間で伝送線等を接続する必要が無いし、拡声対象機器の機種が限定されることも無い。
また、独立した２つのスピーカを備えることで、例えば、拡声対象機器が１階にあっても、第２増設スピーカを２階等離れた場所に設置でき、利用者は確実に拡声対象機器の通知動作を認識できる。そして、第１増設スピーカと第２増設スピーカとは無線通信するため、互いを有線接続する必要がなく、第２増設スピーカは携行することも可能であり、利便性が良い。
【発明の効果】
【００１０】
本発明によれば、拡声対象機器の音情報を基に拡声報音するため、拡声対象機器との間で伝送線等を接続する必要が無いし、拡声対象機器の機種が限定されることも無い。
【図面の簡単な説明】
【００１１】
【図１】増設スピーカ装置の一例を示すブロック図であり、拡声対象機器であるインターホン機器と共に示している。
【図２】増設スピーカ装置の他の例を示すブロック図である。
【発明を実施するための形態】
【００１２】
以下、本発明を具体化した実施の形態を、図面を参照して詳細に説明する。図１は本発明に係る拡声スピーカ装置の一例を示すブロック図であり、インターホン機器の呼出音を拡声する構成を示している。１が増設スピーカ装置、２がインターホン機器である。
増設スピーカ装置１は、拡声対象機器であるインターホン機器２の居室親機４が報音する呼出音を集音するためのマイク１１と、所定の音量で出力するスピーカ１２と、マイク１１及びスピーカ１２の音信号を制御する音響部１３と、居室親機４の呼出音を識別するための音情報、及び拡声報音する際に使用する音源情報等を記憶する増設スピーカ記憶部１４と、発光して通知動作するＬＥＤ１５、人感センサ１６、動作設定するための操作部１７、マイク１１が集音した音が居室親機４の呼出音であるか識別すると共に、増設スピーカ装置１を制御する増設スピーカＣＰＵ１８等を備えている。
【００１３】
尚、商用電源から電源の供給を受ける電源部を有しているが省略してある。また、スピーカ１２の音量は、操作部１７の操作で変更でき、例えば利用者が高齢等で聴力が低下した人物であれば、報音する音を居室親機４の報音する呼出音に比べて大きくでき、容易に認識できる音量にできる。また人感センサ１６は、増設スピーカ装置１の近くに人物が居たらそれを検知し、人物の存在を検知しなかったら、増設スピーカ装置１をオフにするために設置されている。
【００１４】
拡声対象機器のインターホン機器２は以下の様な構成となっている。インターホン機器２は、玄関等に設置されて来訪者が呼出操作する玄関子機３と、呼び出しを受けて応答するための居室親機４とで構成され、両者は伝送線Ｌ１により接続されている。
玄関子機３は、呼出ボタン３１、マイク３２、スピーカ３３、カメラ３４等を備え、居室親機４は、カメラ３４の撮像映像を表示するモニタ４１、マイク４２、スピーカ４３、応答操作するための通話ボタン４４等を備えている。
【００１５】
そして、玄関子機３の呼出ボタン３１が押下されると、呼出信号が伝送線Ｌ１を介して居室親機４に伝送されて居室親機４において呼出音が報音する。またカメラ３４が起動してその撮像映像がモニタ４１に表示される。この呼出音に気づいた居住者が通話ボタン４４を押下すると、玄関子機３と居室親機４との間で通話路が形成されて来訪者と居住者との間で通話が可能となり、居住者はカメラ３４の撮像映像を見ながら通話できる。
【００１６】
このように構成されたインターホン機器２の居室親機４の呼出音の報音に対して、増設スピーカ装置１の拡声報音は以下の様に実施される。まず、増設スピーカ装置１に居室親機４の呼出音を認識させるための初期設定が成される。これは、設置された増設スピーカ装置１の操作部１７を操作して設定モードに移行させることで行われる。
設定モードに移行した状態で、玄関子機３を操作して呼び出しを実施すると、居室親機４のスピーカ４３から呼出音が報音され、この音情報が増設スピーカ装置１のマイク１１で集音されて、増設スピーカＣＰＵ１８の制御により増設スピーカ記憶部１４に保存され拡声対象機器の音情報として登録される。
【００１７】
こうして音情報が登録されたら、次に増設スピーカ装置１が居室親機４の呼出音を受けて報音する音を、増設スピーカ記憶部１４に登録されている音情報の中から選択する。この音を選択する際、居室親機４が報音する呼出音に近い通知音を選択しても良いし、「来訪者があります」等のメッセージを選択しても良い。こうして、初期設定が成される。
【００１８】
尚、ここでは、メッセージが選択されるものとする。また、居室親機４に加えて他に拡声対象機器がある場合は、引き続き同様の設定操作が成される。例えば、固定電話、或いは携帯電話の呼出音を拡声させたい場合は、インターホン機器２の呼出音の登録と同様に、音を登録して、拡声する通知音の設定が行われる。例えば、固定電話の呼出音を拡声する場合は、「電話が鳴ってます」等を報音しても良い。
【００１９】
初期設定が完了したら、特定の通知音を受けて拡声して報音する増設スピーカとしての動作を開始する。具体的に、玄関子機３が呼出操作を受けて居室親機４のスピーカ４３から呼出音が報音されると、この音を増設スピーカ装置１のマイク１１が集音する。集音した音は、増設スピーカＣＰＵ１８の制御により、増設スピーカ記憶部１４に登録されている音の情報と比較される。但し、人感センサ１６が人物を感知していない状態では、増設スピーカＣＰＵ１８は比較動作せず、増設スピーカ装置１は動作しない。
比較した結果一致する音があると、その音に関連付けられている通知音が選択されてスピーカ１２から報音される。ここでは、「来訪者があります」の音声メッセージが報音される。更に、ＬＥＤ１５が点滅動作して発光動作で呼び出しが成されたことを通知する。
【００２０】
この時の音量は、利用者が高齢者等で聴力が衰えた人物であれば、初期設定において居室親機４の呼出音より大きな音量に設定することで、聞き取れる音量で「来訪者があります」が所定回数報音される。
尚、マイク１１が集音した音に一致する音情報が増設スピーカ記憶部１４に無ければ、増設スピーカ装置１は報音動作しない。
【００２１】
このように、居室親機４が呼出音を報音したのを受けて拡声報音するため、拡声対象機器である居室親機４との間で伝送線等を接続する必要が無い。よって、容易に設置できるし、拡声対象機器の機種が限定されることも無い。また、拡声報音をアナウンスで実施することで、来訪者がある等、報音内容を速やかに把握できる。
更に、人感センサ１６が感知動作しなければ、即ち周囲に人がいなければ拡声報音を行わない。よって、むやみに拡声報音することがなく、スピーカ１２からの報音が大音量であっても周囲にかける迷惑は最小限に留めることができる。
加えて、ＬＥＤ１５による発光通知動作を音情報に加えて実施することで、視覚情報も加わることで、更に認識し易い。
【００２２】
尚、利用者が居室親機４から離れた場所に居ても、呼出音を認識できるようにしたい場合は、人感センサ１６をオフ設定すると良い。こうすることで、増設スピーカ装置１の近くに人物が居なくても拡声報音が実施され、呼出音が報音されたことを離れた場所からでも認識できる。
【００２３】
図２は、増設スピーカ装置１の他の形態を示すブロック図であり、独立した２つのスピーカ（第１スピーカ１２ａ、第２スピーカ１２ｂ）を備えている点が上記形態とは大きく相違している。以下、具体的に説明する。尚、上記形態と同様にインターホン機器２の呼出音を拡声する場合を説明する。
【００２４】
第１スピーカ１２ａは第１増設スピーカ１ａを形成する第１のハウジング１０ａに収容され、第２スピーカ１２ｂは第２増設スピーカ１ｂを形成する第２のハウジング１０ｂに収容されている。
第１増設スピーカ１ａは、第１スピーカ１２ａに加えて、マイク１１ａ、マイク１１ａ及び第１スピーカ１２ａの音信号を制御する音響部１３ａ、拡声対象機器である居室親機４の呼出音を識別するための音情報、及び拡声報音する際に使用する音源情報等を記憶する増設スピーカ記憶部１４ａ、発光して通知動作するＬＥＤ１５ａ、動作設定するための操作部１７ａ、第２増設スピーカ１ｂと無線通信する第１通信部２１ａ、マイク１１ａが集音した音が居室親機４の呼出音であるか識別すると共に、第１のハウジング１ａを制御する第１増設スピーカＣＰＵ１８ａ等を備えている。尚、商用電源から電源の供給を受ける電源部を有しているが省略してある。
【００２５】
第２増設スピーカ１ｂは、第２スピーカ１２ｂに加えて、第２スピーカ１２ｂの音信号を制御する音響部１３ｂ、第１増設スピーカ１ａと無線通信する第２通信部２１ｂ、第２増設スピーカ１ｂを制御する第２増設スピーカＣＰＵ１８ｂ等を備えている。また、電源として蓄電池２２を備え、携行可能に構成されている。
【００２６】
この２つのスピーカ１２ａ，１２ｂを備えた増設スピーカ装置１の拡声報音動作は以下の様である。まず、第１増設スピーカ１ａに居室親機４の呼出音を認識させるための初期設定が成される。これは、上記実施形態と同様であり、操作部１７ａを操作して設定モードに移行させ、居室親機４のスピーカ４３から報音される呼出音を登録して、拡声対象機器として設定する。
また、第１増設スピーカ１ａ及び第２増設スピーカ１ｂが、居室親機４の呼出音を受けて報音する音を、増設スピーカ記憶部１４ａに登録されている音情報の中から選択する。
【００２７】
こうして初期設定が完了したら、設定された特定の通知音を受けて、拡声報音する増設スピーカとしての動作を実施する。具体的に、居室親機４のスピーカ４３から呼出音が報音されると、この音を第１増設スピーカ１ａのマイク１１ａが集音する。集音した音は、第１増設スピーカＣＰＵ１８ａの制御により、増設スピーカ記憶部１４ａに登録されている音の情報と比較される。比較した結果一致する音があると、その音に関連付けられている通知音が選択されて第１スピーカ１２ａから報音される。更に、ＬＥＤ１５ａが点滅動作して呼び出しが成されていることを通知する。
【００２８】
更に第１増設スピーカＣＰＵ１８ａは、第１通信部２１ａから第２増設スピーカ１ｂに対して制御信号を送信し、第１増設スピーカ１ａと同様の動作を実施させる。
この制御信号には、起動信号と共に第１増設スピーカ１ａが拡声報音する音情報が含まれており、第２スピーカ１２ｂは第１スピーカ１２ａが報音する音或いは音声と同一の音情報を報音する。
【００２９】
このように、居室親機４が呼出音を報音したのを受けて拡声報音するため、拡声対象機器である居室親機４との間で伝送線等を接続する必要が無いし、拡声対象機器の機種が限定されることも無い。
そして、独立した２つのスピーカ１２ａ，１２ｂを備えることで、例えば、拡声対象機器が１階にあっても、第２増設スピーカ１ｂを２階等離れた場所に設置でき、利用者は拡声対象機器から離れた場所に居ても、確実に拡声対象機器の通知動作を認識できる。
また、第１増設スピーカ１ａと第２増設スピーカ１ｂとは無線通信するため、互いを有線接続する必要がなく、第２増設スピーカ１ｂは携行することも可能であり、利便性が良い。
【００３０】
尚、上記実施形態では、何れもインターホン機器２の呼出音を拡声する動作を説明したが、上述したように電話の呼出音を拡声しても良いし、他の家電製品、例えば洗濯機、炊飯器の通知音やお風呂が沸いた旨の通知音を拡声しても良い。通知音を登録することで容易に拡声通知できる。
また、図２に示す形態では人感センサを設けていないが、人感センサを設けて、図１の形態の如く動作させても良い。
【符号の説明】
【００３１】
１・・増設スピーカ装置、１ａ・・第１増設スピーカ、１ｂ・・第２増設スピーカ、２・・インターホン機器、３・・玄関子機、４・・居室親機（拡声対象機器）、１１，１１ａ・・マイク、１２・・スピーカ、１２ａ・・第１スピーカ、１２ｂ・・第２スピーカ、１４，１４ａ・・増設スピーカ記憶部（音響情報記憶部）、１５，１５ａ・・ＬＥＤ（発光通知部）、１６・・人感センサ、１７，１７ａ・・操作部、１８・・増設スピーカＣＰＵ（音響識別部、報音制御部）、１８ａ・・第１増設スピーカＣＰＵ（音響識別部、報音制御部、第１報音制御部）、１８ｂ・・第２増設スピーカＣＰＵ（第２報音制御部）、２１ａ・・第１通信部、２１ｂ・第２通信部。
【図１】
2020115615.tif 000003
【図２】
2020115615.tif 000004